(57)【要約】【課題】電力の周波数を切り替えても所望の波高率で電力を供給できる電源装置及び画像形成装置を提供する。【解決手段】制御回路３０から帯電ローラ１８に供給する電力の周波数に応じたパルス信号を出力し、高圧電源供給部３４では、制御回路３０から入力されたパルス信号に対応する周波数に応じて予め設定されたゲインで前記パルス信号を正弦波に変換し、当該正弦波に応じた電力を帯電ローラ１８に供給する。【選択図】図２
2008020595.tif 000002
【特許請求の範囲】
【請求項１】
負荷に供給する電力の周波数に応じたパルス信号を出力する出力手段と、
前記出力手段により出力された前記パルス信号に対応する前記周波数を示す情報を取得する取得手段と、
前記取得手段により取得された前記周波数を示す情報に応じて予め設定されたゲインで前記出力手段により出力された前記パルス信号を正弦波に変換する変換手段と、
前記変換手段で変換された正弦波に応じた電力を前記負荷に供給する供給手段と、
を備えた電源装置。
【請求項２】
前記ゲインは、前記正弦波の波高率が所定値となるように予め設定されていることを特徴とする請求項１記載の電源装置。
【請求項３】
前記取得手段は、前記パルス信号を正弦波に変換して前記周波数を示す情報を取得することを特徴とする請求項１又は請求項２記載の電源装置。
【請求項４】
前記出力手段は、前記周波数の識別信号をさらに出力し、
前記取得手段は、前記出力手段により出力された前記識別信号を取得することを特徴とする請求項１又は請求項２記載の電源装置。
【請求項５】
前記変換手段は、フィルタ回路を含んで構成されており、当該フィルタ回路の抵抗値を用いてゲインを調整することを特徴とする請求項１乃至請求項４の何れか１項記載の電源装置。
【請求項６】
感光体表面を所定の電位に帯電させた状態で、当該感光体上に光ビームを走査して得られた静電潜像をトナーにより現像し、記録媒体にトナー像を転写することにより画像を形成する画像形成装置であって、
所定の部位に供給する電力の周波数に応じたパルス信号を出力する出力手段と、
前記出力手段により出力された前記パルス信号に対応する前記周波数を示す情報を取得する取得手段と、
前記取得手段により取得された前記周波数を示す情報に応じて予め設定されたゲインで前記出力手段により出力された前記パルス信号を正弦波に変換する変換手段と、
前記変換手段で変換された正弦波に応じた電力を前記所定の部位に供給する供給手段と、
を備えた画像形成装置。
【請求項７】
前記画像を形成するプロセススピードを予め設定された複数の速度に選択的に切り替える制御手段をさらに備え、
前記出力手段は、前記制御手段により選択されたプロセススピードに応じて予め設定された周波数に応じたパルス信号を出力し、
前記供給手段により、前記感光体表面を所定の電位に帯電させる帯電手段に電力を供給することを特徴とする請求項６記載の画像形成装置。
【発明の詳細な説明】
【技術分野】
【０００１】
本発明は、電源装置及び画像形成装置に関する。
【背景技術】
【０００２】
従来、感光体表面を所定の電位に帯電させ、画像データに応じて光ビームを照射して感光体上に静電潜像を形成し、当該静電潜像をトナーにより現像して得られたトナー像を記録媒体に転写して画像を形成する複写機等の画像形成装置では、帯電、現像及び転写等を駆動するために、高圧電源が用いられている。高圧電源は、感光体周辺の部品に対して所定の電位又は電流値の駆動電力を供給する。
【０００３】
ここで、感光体表面を所定の電位に帯電させる帯電器には、コロトロンワイヤー等の非接触式のものと、帯電ロールを用いた接触式のものがある。帯電ロールは、コロトロンワイヤーに比べ、帯電出力が小さくてすむため、低コスト、省エネルギーの点で有利である。
【０００４】
近年、画像形成装置は、普通紙、はがき、コート紙、ＯＨＰ、薄紙等、様々な種類の記録媒体に対応可能に構成することが提案されている。
【０００５】
このように多様化する記録媒体に対応するためには、例えば、画像形成の実行を指示する際にオペレータが記録媒体の種類に関する情報等を入力し、プロセススピードを適宜記録媒体に応じて調節することが提案されている。
【０００６】
すなわち、記録媒体にトナーを定着させる定着処理においては、トナーを熱により適度に溶かすと共に、記録媒体に圧着させる必要がある。しかし、熱の伝達効率は記録媒体の種類によって異なる。例えば、熱伝達効率の悪いＯＨＰやコート紙では、普通紙に比べ定着処理に要する時間が長い。また、ＯＨＰでは透過率を上げることが必要であり、コート紙では光沢率をあげることが必要である。
【０００７】
また、カラー画像形成かモノクロ画像形成か、解像度、印字品質の差などに応じて異なるプロセススピードで動作する機種も存在する。
【０００８】
ここで、帯電ロールは、感光体表面を一定電位に帯電させるために、直流に交流を重畳した電源を用いることが好ましい。さらに、このように直流に交流を重畳した電源を用いる場合、書き込み周波数等との関係によるうねりの発生等を防止すべく、交流成分の周波数（帯電周波数）を、画像形成時のプロセススピードに応じて周波数に設定することが好ましい。
【０００９】
すなわち、上述したようにプロセススピードを調整して変更する場合、帯電周波数についても併せて調整することが好ましい。
【００１０】
従来、帯電周波数を変更する技術として、特許文献１には、複数の色のトナー像を重ねてカラー画像を形成する際の色むらの発生を防止すべく、帯電周波数を変更可能に構成し、各色のトナー像を形成する際の帯電周波数或いは波形の位相を異ならせることが記載されている。
【００１１】
また、特許文献２には、帯電ローラの種類に関わらず、帯電音の発生レベルを低く抑えるべく、帯電ローラの種類を示す情報を取得して、取得した情報に応じて予め設定された周波数に変更することが記載されている。
【特許文献１】特開平６−２４２６６３号公報
【特許文献２】特開２００３−１５６９２４公報
【発明の開示】
【発明が解決しようとする課題】
【００１２】
本発明は、電力の周波数を切り替えても所望の波高率で電力を供給できる電源装置及び画像形成装置を提供することが目的である。
【課題を解決するための手段】
【００１３】
上記課題を解決するために、請求項１の発明は、負荷に供給する電力の周波数に応じたパルス信号を出力する出力手段と、前記出力手段により出力された前記パルス信号に対応する前記周波数を示す情報を取得する取得手段と、前記取得手段により取得された前記周波数を示す情報に応じて予め設定されたゲインで前記出力手段により出力された前記パルス信号を正弦波に変換する変換手段と、前記変換手段で変換された正弦波に応じた電力を前記負荷に供給する供給手段と、を備えている。
【００１４】
請求項１記載の発明によれば、負荷に供給する電力の周波数に応じたパルス信号を正弦波に変換し、当該正弦波に応じた電力を供給するに際し、パルス信号を予め周波数に応じて設定されたゲインで変換するので、電力の周波数を切り替えても所望の波高率で電力を供給できる。
【００１５】
請求項２の発明は、前記ゲインは、前記正弦波の波高率が所定値となるように予め設定されていることを特徴としている。
【００１６】
請求項２記載の発明によれば、正弦波の波高率が所定値となるように予めゲインを設定しているので、負荷に供給する電力の周波数に拘らず波高率を所定値に保つことができる。
【００１７】
請求項３の発明は、前記取得手段は、前記パルス信号を正弦波に変換して前記周波数を示す情報を取得することを特徴としている。
【００１８】
請求項３記載の発明によれば、出力手段により出力されたパルス信号を正弦波に変換して周波数を示す情報を取得するので、出力手段側には特別な処理を実行するような変更を施さなくても本発明を実現することができる。
【００１９】
請求項４の発明は、前記出力手段は、前記周波数の識別信号をさらに出力し、前記取得手段は、前記出力手段により出力された前記識別信号を取得することを特徴としている。
【００２０】
請求項４記載の発明によれば、出力手段により周波数の識別信号を出力させるようにすることで、特に周波数を識別するための処理を実行するプログラムや回路等を設ける必要がなくなる。
【００２１】
請求項５の発明は、前記変換手段は、フィルタ回路を含んで構成されており、当該フィルタ回路の抵抗値を用いてゲインを調整することを特徴としている。
【００２２】
請求項５記載の発明によれば、フィルタ回路の抵抗値を変更するだけでゲインを調整することができる。
【００２３】
請求項６の発明は、感光体表面を所定の電位に帯電させた状態で、当該感光体上に光ビームを走査して得られた静電潜像をトナーにより現像し、記録媒体にトナー像を転写することにより画像を形成する画像形成装置であって、所定の部位に供給する電力の周波数に応じたパルス信号を出力する出力手段と、前記出力手段により出力された前記パルス信号に対応する前記周波数を示す情報を取得する取得手段と、前記取得手段により取得された前記周波数を示す情報に応じて予め設定されたゲインで前記出力手段により出力された前記パルス信号を正弦波に変換する変換手段と、前記変換手段で変換された正弦波に応じた電力を前記所定の部位に供給する供給手段と、を備えている。
【００２４】
請求項６記載の発明によれば、画像形成装置の所定の部位に供給する電力の周波数に応じたパルス信号を正弦波に変換し、当該正弦波に応じた電力を供給するに際し、パルス信号を予め周波数に応じて設定されたゲインで変換するので、電力の周波数を切り替えても所望の波高率で電力を供給できる。
【００２５】
請求項７の発明は、前記画像を形成するプロセススピードを予め設定された複数の速度に選択的に切り替える制御手段をさらに備え、前記出力手段は、前記制御手段により選択されたプロセススピードに応じて予め設定された周波数に応じたパルス信号を出力し、前記供給手段により、前記感光体表面を所定の電位に帯電させる帯電手段に電力を供給することを特徴とする請求項６記載の画像形成装置。
【００２６】
請求項７記載の発明によれば、プロセススピードが変更可能に構成された画像形成装置において、プロセススピードに応じて帯電手段に供給する電力の周波数を決定し、帯電手段に供給する電力の周波数に応じたパルス信号を正弦波に変換し、当該正弦波に応じた電力を供給するに際し、パルス信号を予め周波数に応じて設定されたゲインで変換するので、電力の周波数を切り替えても所望の波高率で電力を供給できる。
【発明の効果】
【００２７】
本発明は、電力の周波数を切り替えても所望の波高率で電力を供給できる、という優れた効果を有する。
【発明を実施するための最良の形態】
【００２８】
以下、図面を参照して、本発明に係る実施の形態について説明する。
【００２９】
図１には、本実施の形態に係る画像形成装置１０の主要部の構成が概略的に示されている。同図に示されるように、画像形成装置１０には、矢印Ｅ方向に搬送される用紙２８の搬送経路に沿って、画像形成ユニットが配設されている。
【００３０】
画像形成ユニットは、用紙２８の搬送経路Ｅに接するように配設され、矢印Ｆ方向に所定速度で回転する感光体ドラム１６を備えている。
【００３１】
感光体ドラム１６の周面には、矢印Ｆ方向に、帯電ローラ１８、露光ユニット２０、現像器２２及び転写ローラ２５が順に設けられている。感光体ドラム１６は、矢印Ｆ方向に回転することにより順次帯電器１８、露光ユニット２０、現像器２２によって各種処理が施され、周面にトナー像が形成される。
【００３２】
帯電ローラ１８は、感光体ドラム１６の周面に接触しながら回転可能に設けられている。帯電ローラ１８は、直流に交流が重畳された電力が供給され、回転駆動しながら感光体ドラム１６の周面を所定の電位に帯電させる。
【００３３】
また、露光ユニット２０は、不図示の光源を含んで構成されており、感光体ドラム１６上に画像データに応じて光ビームを走査露光することにより静電潜像を形成する。
【００３４】
現像器２２は、トナーを所定の電位に帯電させて感光体ドラム１６に付着させて静電潜像を現像する。
【００３５】
転写ローラ２５は、記録媒体としての用紙２８を感光体ドラム１６と挟持搬送可能に設けられており、転写時には、所定電位の転写電圧が印加される。各感光体ドラム１６上のトナーは、転写ローラ２５と対向する転写位置において、転写ローラ２５側に引き寄せられて用紙２８に転写される。
【００３６】
この感光体ドラム１６上に形成された最終トナー像は、感光体ドラム１６と転写ローラ２５の間に送り込まれた用紙２８に転写される。
【００３７】
なお、トナー像が転写された用紙２８は、不図示の定着装置によりトナーを用紙２８に溶融圧着させる定着処理が施された後、画像形成装置１０外へ排出される。
【００３８】
図２には、本発明の実施の形態に係る帯電ローラ１８への電源供給に関する構成が示されている。同図に示されるように、画像形成装置１０は、全体の動作を制御する制御回路３０と、高圧電源供給部３４と、を含んで構成されており、高圧電源供給部３４は制御回路３０及び上記帯電ローラ１８と接続されている。
【００３９】
制御回路３０では、帯電ローラ１８に出力する電力の交流成分の周波数や出力電圧を示すパルス信号を高圧電源供給部３４に出力する。
【００４０】
高圧電源供給部３４は、正弦波変換回路３６、増幅回路３８、昇圧回路４０及び検出回路４２を含んで構成されている。
【００４１】
正弦波変換回路３６では、制御回路３０から入力されるパルス信号を正弦波に変換する。制御回路３０から入力されるパルス信号は、帯電ローラ１８に供給する帯電バイアスの交流成分の周波数を示しており、当該周波数は、プロセススピードに応じて決定される。
【００４２】
また、増幅回路３８では、正弦波変換回路３６により変換された正弦波を所定の増幅率で増幅し、正弦波交流として出力する。さらに、昇圧回路４０では、増幅回路３８から入力された正弦波を昇圧して正弦波交流バイアス電圧を発生させる。
【００４３】
さらに、昇圧回路４０には、直流バイアス発生回路４１が接続されており、これにより交流バイアスが直流バイアスに重畳される。
【００４４】
また、検出回路４２では、帯電ローラ１８に供給される帯電バイアス電圧を検出して、検出結果を正弦波変換回路３６にフィードバックする。これにより、正弦波変換回路３６では、所望の帯電バイアス電圧が帯電ローラ１８に出力されるように制御する。
【００４５】
ここで、本実施の形態に係る画像形成装置１０は、予め設定された複数のプロセススピードで動作可能に構成されており、用紙の種類等に応じてプロセススピードを切り替えるように構成されている。このプロセススピードの切り替えに伴い、帯電バイアスの交流成分の周波数（パルス信号）も切り替えられる。
【００４６】
本実施の形態では、一例として、普通紙か厚紙によってプロセススピードを切り替える形態について説明する。なお、普通紙の場合はプロセススピード２００ｍｍ／ｓｅｃ、帯電周波数１５００Ｈｚ、厚紙の場合はプロセススピード１００ｍｍ／ｓｅｃ、帯電周波数７５０Ｈｚとする場合について説明する。
【００４７】
ここで、図６には、パルス信号を正弦波に変換する際のゲインと、変換により得られる正弦波の波高率との関係が示されている。同図に示されるように、ゲインと波高率の関係は、周波数によって異なる。同じ波高率（本実施の形態では、１．４１）に変換するためには、周波数に応じてゲインを調節する必要がある。例えば、周波数が７５０Ｈｚの場合はゲインを大きくし、周波数が１５００Ｈｚの場合はゲインを小さくする必要がある。
【００４８】
このゲインは、正弦波変換回路３６に含まれるフィルタ回路の抵抗値を調整することにより変更可能である。このため、正弦波変換回路３６は、パルス信号を正弦波に変換する際のゲインも２種類の何れかに切り替え可能に構成されている。
【００４９】
また、本実施の形態では、高圧電源供給部３４において、正弦波変換回路３６に入力されるパルス信号が示す周波数を判定する周波数判定部３２をさらに含んで構成されている。当該周波数判定部３２は正弦波変換回路３６に接続されている。
【００５０】
周波数判定部３２は、判定用正弦波変換回路４４、ローパスフィルタ回路４６、比較回路４８及び判定回路５０を含んで構成されている。判定用正弦波変換回路４４では、入力されたパルス信号を電圧振幅Ｖｐｐが所定値（本実施の形態では、５Ｖ）の正弦波に変換し、ローパスフィルタ回路４６に出力する。
【００５１】
ローパスフィルタ回路４６では、入力された正弦波の電圧振幅Ｖｐｐが、周波数に応じた減衰率で減衰されて比較回路４８に出力される。減衰率は、例えば、周波数が７５０Ｈｚでは減衰率８０％（減衰後のＶｐｐ＝４Ｖ）、周波数が１５００Ｈｚでは減衰率５５％（減衰後のＶｐｐ＝２．８Ｖ）と、周波数が高いほど減衰率が高く設定されている。
【００５２】
比較回路４８では、所定の閾値と入力電圧とを比較し、比較結果を判定回路５０に出力する。この閾値は、減衰率の高い方（１５００Ｈｚ）の入力電圧のピーク値よりも大きく、減衰率の低い方（７５０Ｈｚ）の入力電圧のピーク値よりも小さい値が設定される。
【００５３】
なお、本実施の形態では、比較回路４８では、入力電圧が閾値よりも高い場合はハイレベル、入力電圧が閾値よりも低い場合はローレベルの信号を出力するものとして説明する。この場合、帯電周波数が低い（７５０Ｈｚ）場合には、周期的にハイレベルの信号が出力され、帯電周波数が高い（１５００Ｈｚ）場合には、常にローレベルの信号が出力されることになる。
【００５４】
判定回路５０では、入力された比較結果に応じて、制御回路３０から入力されたパルス信号の周波数を識別し、正弦波変換回路３６にゲイン制御信号を出力する。本実施の形態では、ゲイン制御信号は、入力が周期的にハイレベルとなっている場合はハイレベル、ローレベルの場合はローレベルとなる。
【００５５】
ここで、図３には、本実施の形態に係るゲインの切り替えに関する回路図が示されている。同図に示されるように、本実施の形態では、ゲインを決定するための複数の抵抗Ｒ１，Ｒ２が直列に接続されている。この抵抗Ｒ１は、帯電周波数が低い場合のゲインに対応する抵抗値とされており、抵抗Ｒ２の抵抗値は、抵抗Ｒ１の抵抗値との和が帯電周波数の高い場合のゲインに対応するように設定されている。
【００５６】
また、同図に示されるように、本実施の形態では、抵抗Ｒ２をトランジスタにより開放又は短絡させるように構成されている。また、当該トランジスタはゲイン制御信号に応じてＯＮ／ＯＦＦ動作する。ゲイン制御信号がハイレベルの場合、トランジスタがＯＮとなって抵抗Ｒ２は開放される。一方、ゲイン信号がローレベルの場合、トランジスタがＯＦＦとなって抵抗Ｒ２が短絡される。
【００５７】
すなわち、抵抗Ｒ２の開放及び短絡を制御することにより正弦波変換に用いる抵抗値を異ならせてゲインを切り替えている。
【００５８】
以下、本実施の形態の作用を説明する。
【００５９】
画像形成装置１０に印刷ジョブが入力されると、制御回路３０では、印刷ジョブに含まれる記録媒体の種類を示す情報に基づいて、プロセススピード及びプロセススピードに応じて予め設定された帯電周波数の設定を行なう。
【００６０】
本実施の形態では、記録媒体が普通紙か厚紙かを判定し、普通紙の場合はプロセススピード２００ｍｍ／ｓｅｃ、帯電周波数１５００Ｈｚが、厚紙の場合はプロセススピード１００ｍｍ／ｓｅｃ、帯電周波数７５０Ｈｚが、それぞれ設定される。
【００６１】
その後、設定されたプロセススピード及び帯電周波数で、印刷ジョブに含まれる画像データに基づく画像形成処理の実行が開始される。
【００６２】
制御回路３０では、帯電周波数に応じたパルス信号を高圧電源供給部３４に出力し、高圧電源供給部３４では、周波数判定部３２により、制御回路３０から入力されたパルス信号が示す帯電周波数を特定し、特定結果をゲイン制御信号として正弦波変換回路３６に入力する。正弦波変換回路３６では、ゲイン制御信号に応じたゲインでパルス信号を正弦波に変換する。
【００６３】
これにより、高圧電源供給部３４は、パルス信号を所定の波高率（本実施の形態では、１．４１）の正弦波に変換し、増幅、昇圧して、所望の帯電周波数の帯電バイアスを帯電ローラ１８に供給する。
【００６４】
以上詳細に説明したように、本実施の形態では、制御回路３０から帯電ローラ１８に供給する電力の周波数に応じたパルス信号を出力し、高圧電源供給部３４では、制御回路３０から入力されたパルス信号に対応する周波数に応じて予め設定されたゲインで前記パルス信号を正弦波に変換し、当該正弦波に応じた電力を帯電ローラ１８に供給するので、電力の周波数を切り替えても所望の波高率で電力を供給できる。
【００６５】
ここで、本実施の形態では、波高率を１．４１となるように各周波数に応じたゲインを設定するものとして説明した。この波高率が１．４１の正弦波は理想正弦波となる。帯電時の波高率が高いとピーク電圧が上がる場合があり、感光体に過剰な電位が与えられて感光体の磨耗が促進される恐れがある。また、逆に波高率が低いと、帯電特性が落ち、感光体への必要な表面電位が稼げなくなる場合があるため、重畳させる直流成分の電位を上げる必要性が生じる可能性もある。したがって、波高率を１．４１とすることが好ましいが、波高率をどの値に設定するかは、感光体の磨耗度合いや帯電特性の低下度合いを考慮して、適宜設定しうる。
【００６６】
また、本実施の形態では、ゲインが、変換後の正弦波の波高率が１．４１となるように予め設定されているので、周波数に拘らず波高率を１．４１に保つことができる。
【００６７】
さらに、本実施の形態では、高圧電源供給部３４に周波数判定部３２を設け、周波数判定部３２の正弦波変換回路においてパルス信号を一旦正弦波に変換して周波数を示す情報を取得するようにしているので、出力手段側には特別な処理を実行するような変更を施すことなく、正弦波変換回路３６において周波数に応じたゲインで正弦波変換ができる。
【００６８】
また、本実施の形態では、正弦波変換回路３６が、フィルタ回路（図３参照）を含んで構成されており、当該フィルタ回路の抵抗値Ｒ１，Ｒ２を用いてゲインを調整するので、ゲインの調整が容易である。
【００６９】
なお、本実施の形態では、周波数を２種類に切り替える形態について説明したが、本発明はこれに限定されるものではなく、３種類以上に切り替える形態とすることもできる。
【００７０】
図４には、４種類の周波数に選択的に切り替えるように構成した場合のフィルタ回路の構成例が示されている。同図に示されるように、正弦波変換回路３６を構成するフィルタ回路の抵抗が、切り替える周波数の種類に応じた数だけ設けられている。また、抵抗Ｒ１は常に短絡されており、抵抗Ｒ２〜Ｒ４は、ゲイン制御信号が入力されるオペアンプと接続されたトランジスタにより開放又は短絡される。これにより、抵抗Ｒ２〜Ｒ４が接続されたオペアンプは、それぞれゲイン制御信号の電位に応じて開放又は短絡とされる。
【００７１】
同図に示す構成とした場合、判定回路５０では、所謂Ｄ／Ａ変換を行なう。これにより、ゲイン制御信号は、比較回路４８から出力される信号がローレベルである（周波数が最も高い）場合には０Ｖとなる。また、比較回路４８から出力される信号がハイレベルの繰り返しである場合には、ハイレベルとなる期間が長いほど（周波数が低いほど）、ゲイン制御信号の電位が高くなる。
【００７２】
すなわち、ゲイン制御信号の電位は、フィルタ回路４６による減衰率に応じた電位となるので、ゲイン制御信号の電位は、周波数の種類に応じた電位となる。このため、ゲイン制御信号の電位が最も高い場合にはゲイン制御信号により開放又は短絡が制御される全ての抵抗Ｒ２〜４が短絡とされるように、抵抗Ｒ５、Ｒ６の抵抗値を設定する。また、ゲイン制御信号の電位が２番目に高い場合には抵抗Ｒ２及び抵抗Ｒ３が開放されるように抵抗Ｒ５の抵抗値を設定する。
【００７３】
すなわち、抵抗Ｒ１は帯電周波数が最も低い場合のゲインに対応する抵抗値とされ、抵抗Ｒ１と抵抗Ｒ２との抵抗値の和が、２番目に周波数が低い場合のゲインに対応する抵抗値に、抵抗Ｒ１〜Ｒ３の抵抗値の和が、３番目に周波数が低い場合のゲインに対応する抵抗値に、抵抗Ｒ１〜Ｒ４の抵抗値の和が、最も周波数が高い場合のゲインに対応する抵抗値に、それぞれ相当するように設定されている。
【００７４】
これにより、正弦波変換回路３６では、パルス信号が対応する周波数に応じたゲインで正弦波変換を実行することができる。
【００７５】
また、本実施の形態では、周波数に応じた抵抗値の変更を、トランジスタ及びオペアンプを用いて複数の抵抗の開放又は短絡を制御して実行する形態について説明したが、本発明はこれに限定されるものではなく、抵抗値が周波数に応じて変化するように構成されていればよいことは言うまでもない。
【００７６】
さらに、本実施の形態では、パルス信号が対応する周波数を高圧電源供給部３４において判定する形態について説明したが、本発明はこれに限定されるものではない。
【００７７】
例えば、図５に示されるように、制御回路３０からパルス信号が対応する周波数に応じた信号をさらに出力し、当該信号に応じて抵抗値を切り替えるように設定することもできる。この場合、高圧電源供給部３４に、周波数判定部３２等の周波数を識別するための判定処理を実行するプログラムや回路等を設ける必要がなくなる。
【００７８】
なお、上記実施の形態に係る画像形成装置１０の構成（図１乃至図５参照）は一例であり、本発明の趣旨を逸脱しない範囲で適宜変更可能である。
【図面の簡単な説明】
【００７９】
【図１】実施の形態に係る画像形成装置の構成を示す概略図である。
【図２】実施の形態に係る高圧電源の供給に関するブロック図である。
【図３】実施の形態に係る正弦波変換回路の一部を簡略的に示す回路図である。
【図４】他の形態に係る正弦波変換回路の一部を簡略的に示す回路図である。
【図５】他の形態に係る高圧電源の供給に関するブロック図である。
【図６】正弦波変換時のゲインと波高率との関係を示すグラフである。
【符号の説明】
【００８０】
１０    画像形成装置
１６    感光体ドラム
１８    帯電ローラ（帯電手段）
２０    露光ユニット
２２    現像器
２５    転写ローラ
２８    用紙（記録媒体）
３０    制御回路（出力手段、制御手段）
３４    高圧電源供給部
３２    周波数判定部（取得手段）
３６    正弦波変換回路（変換手段）
３８    増幅回路（供給手段）
４０    昇圧回路（供給手段）
【図１】
2008020595.tif 000003
【図２】
2008020595.tif 000004
【図３】
2008020595.tif 000005
【図４】
2008020595.tif 000006
【図５】
2008020595.tif 000007
【図６】
2008020595.tif 000008